(57)【要約】【課題】  遊技者が押しボタンを見なくても容易に押しボタンを操作することができるパチンコ機を実現する。【解決手段】  遊技者は、右手で発射ハンドル４を握り、右手の指で発射レバー４ａを回動操作している。また、遊技者の視線は、図柄表示装置の画面に集まっている。このような状況において、押しボタン８は左手で操作することになるが、まず、左手を下皿６の上縁６ｂの適当な位置に乗せた状態を作る。そして、図中矢印Ｆ１で示すように、左手を上縁６ｂに沿わせて左方へ移動させて行くと、左手が構造物７の壁７ａに当接する。つまり、左手の移動が遮られる。この位置になると、左手の直下には、押しボタン８が存在するため、そのまま左手を下ろせれば押しボタン８に触れることができるため、即座に押しボタン８を押圧操作することができる。【選択図】  図２
2007295954.tif 000002
【特許請求の範囲】
【請求項１】
パチンコ機本体の前面の右側または左側に配置されており、遊技球を遊技盤へ発射する発射装置の発射強度を調整するための調整手段と、
前記調整手段が配置されている側と反対側に配置されており、操作することによって所定の信号を出力する操作手段と、が備えられたパチンコ機において、
前記調整手段を操作する遊技者の手と反対側の手が、前記操作手段の配置方向へ移動し、前記操作手段を操作可能な位置に達したときに前記反対側の手が触れる立体的な構造物を備えたことを特徴とするパチンコ機。
【請求項２】
前記構造物は、前記操作手段を操作可能な位置を超えないように前記反対側の手の移動を遮るものであることを特徴とする請求項１に記載のパチンコ機。
【請求項３】
前記パチンコ機本体の内部から払出された遊技球を貯留する貯留皿を前面に備えており、
前記操作手段は、前記貯留皿の上縁の延長線上に配置されていることを特徴とする請求項１または請求項２に記載のパチンコ機。
【発明の詳細な説明】
【技術分野】
【０００１】
この発明は、演出内容を変更することができるスイッチ、例えば図柄の変動表示内容を変更するスイッチなどが配置されたパチンコ機に関する。
【背景技術】
【０００２】
従来、この種のパチンコ機として、特許文献１に記載されているように、図柄変動表示などの遊技の進行を変化させることができる押しボタンを球受皿の隣に配置したものが知られている。
【０００３】
【特許文献１】特開２００４−８１６０２号公報（第８段落、図２）
【発明の開示】
【発明が解決しようとする課題】
【０００４】
しかし、上記従来のものは、遊技者が遊技盤に目を向けたまま、押しボタンを操作しようとすると、手探りで押しボタンを探すことになるため、素早く押しボタンを押すことができないという問題がある。
特に、押しボタンの操作タイミングによっては、変更可能な遊技内容の選択範囲が限定されているような場合は、押しボタンの操作タイミングを逸することにより、遊技に対する興味が薄れてしまうおそれがある。
【０００５】
そこでこの発明は、遊技者が押しボタンを見なくても容易に押しボタンを操作することができるパチンコ機を実現することを目的とする。
【課題を解決するための手段】
【０００６】
この発明は、上記目的を達成するため、請求項１に記載の発明では、パチンコ機本体（２）の前面の右側または左側に配置されており、遊技球を遊技盤（３）へ発射する発射装置の発射強度を調整するための調整手段（４）と、前記調整手段が配置されている側と反対側に配置されており、操作することによって所定の信号を出力する操作手段（８）と、が備えられたパチンコ機（１）において、前記調整手段を操作する遊技者の手と反対側の手が、前記操作手段の配置方向へ移動し、前記操作手段を操作可能な位置に達したときに前記反対側の手が触れる立体的な構造物（７）を備えたという技術的手段を用いる。
【０００７】
発射装置の発射強度を調整するための調整手段を操作する遊技者の手と反対側の手が、操作手段の配置方向へ移動し、操作手段を操作可能な位置に達すると、立体的な構造物に触れる構成である。
つまり、調整手段を操作する手と反対側の手を構造物に触れるまで操作手段の配置方向へ移動させれば、操作手段を操作可能な位置に到達したことになるため、短時間で操作手段を探し出すことができるので、素早く操作手段を操作することができる。
【０００８】
請求項２に記載の発明では、請求項１に記載のパチンコ機（１）において、前記構造物（７）は、前記操作手段（８）を操作可能な位置を超えないように前記反対側の手の移動を遮るものであるという技術的手段を用いる。
【０００９】
調整手段を操作する手と反対側の手を操作手段の配置方向へ移動させる際に、その反対側の手が操作手段を操作可能な位置を超えようとしても、構造物によって遮られるため、操作手段の操作位置を探すための時間を短縮することができるので、素早く操作手段を操作することができる。
【００１０】
請求項３に記載の発明では、請求項１または請求項２に記載のパチンコ機（１）において、前記パチンコ機本体（２）の内部から払出された遊技球を貯留する貯留皿（６）を前面に備えており、前記操作手段（８）は、前記貯留皿の上縁（６ｂ）の延長線上に配置されているという技術的手段を用いる。
【００１１】
操作手段が貯留皿の上縁の延長線上に配置されているため、調整手段を操作する手と反対側の手を貯留皿の上縁に沿って構造物に触れるまで移動させることにより、短時間で操作手段を探し出すことができるので、素早く操作手段を操作することができる。
なお、上記の括弧内の符号は、後述する実施形態において使用する符号と対応するものである。
【発明を実施するための最良の形態】
【００１２】
この発明の実施形態に係るパチンコ機の構成について図を参照して説明する。図１は、そのパチンコ機の外観を正面から見た説明図であり、図２は、図１に示すパチンコ機に配置された押しボタンの周辺構造を示す部分説明図である。
パチンコ機１は、パチンコ機本体２を備えており、パチンコ機本体２の前面には、ガラス扉１５によって覆われた遊技盤３が配置されている。遊技盤３には、図示しない入賞口、始動口、大入賞口を開閉可能な入賞装置および図柄表示装置などが配置されている。また、パチンコ機本体２の前面であって遊技盤３の下方には、パチンコ機本体２の内部に設けられた遊技球払出装置によって払出された遊技球を貯留するための上皿５が配置されている。
【００１３】
パチンコ機本体２の前面の右側下方には、時計回りまたは反時計回りに回動可能な発射レバー４ａを有する発射ハンドル４が配置されている。右手で発射ハンドル４を握ると、上皿５に貯留されている遊技球を発射地点へ導く整流器（図示せず）が作動し、発射地点に導かれた遊技球を遊技盤へ発射する発射装置が作動する。発射レバー４ａを時計回りに回動すると、遊技球を遊技盤３へ発射する発射装置（図示せず）の発射強度が強くなり、遊技球の飛距離が増大し、逆に、発射レバー４ａを反時計回りに回動すると、発射強度が弱くなり、遊技球の飛距離が減少する。
【００１４】
上皿５の下方には、上皿５の貯留許容量を超えて流下し、流出口１０から流出した遊技球を貯留する下皿６が配置されている。図２に示すように、下皿６の底部には、貯留されている遊技球を下皿６の下方に載置されている賞球箱へ排出するための球抜き口を開閉するための開閉部材６ｅが配置されており、その開閉部材６ｅの左側周縁から左斜め上方に向けて底壁６ｃが上り勾配に形成されている。なお、図示しないが、開閉部材６ｅの右側周縁から右斜め上方に向けて上り勾配の底壁が形成されている。
【００１５】
各底壁の後部には、後壁６ｄが形成されており、その後壁６ｄと各底壁を挟んだ対向位置には、前壁６ａが形成されている。前壁６ａは、各底壁の底部前端から上方へ立ち上がり形成されている。前壁６ａの上縁６ｂは、前方に緩やかに膨らんだ曲線状に形成されている。前壁６ａの下縁には、開閉部材６ｅを開閉させるための球抜きレバー９が左右方向へスライド可能に配置されている。
【００１６】
下皿６の上縁６ｂの左端であって、上縁６ｂの幅が広くなった箇所には、押しボタン８が配置されている。この押しボタン８は、押圧していない状態において上縁６ｂから上方へ突出した姿勢に配置されており、その姿勢は、押しボタン８の内部に配置されたバネなどの弾性部材によって維持されている。押しボタン８の内部または下方には、押しボタン８の押圧操作によってＯＮし、その押圧状態を解除するとＯＦＦするスイッチが配置されている。この実施形態では、押しボタン８は、図柄表示装置の変動表示内容を変更するためのものである。
【００１７】
下皿６の上縁６ｂの左方に向かう延長線上であって、押しボタン８の近傍であり、押しボタン８の斜め左後方には、立体的な構造物７が配置されている。構造物７は、下皿６の一部として下皿６と一体形成してもよいし、別体として形成してもよい。構造物７の前面には、下皿６の上縁６ｂに対して垂直または垂直に近い角度に形成された壁７ａが形成されている。換言すると、押しボタン８の近傍であって、押しボタン８の斜め左後方には、上縁６ｂから立設した壁７ａが配置されている。壁７ａは、左手が、いずれかの指で押しボタン８を押圧操作する姿勢になった際に左手のいずれかの部位が触れることになる位置に配置されている。
【００１８】
例えば、壁７ａは、左手が人差し指によって押しボタン８を押圧可能な姿勢になった際に左手の人差し指、中指、薬指および小指のいずれか１本、あるいは、２本以上の指の先端または左側面などの所定部位が触れることになる位置に配置されている。
換言すると、押しボタン８および壁７ａは、左手が、そのいずれかの部位が壁７ａに触れた状態になると、左手のいずれかの指で押しボタン８を押圧操作することができる状態になる配置関係に設定されている。
【００１９】
［押しボタンの操作］
次に、押しボタン８を操作するときの状況について図を参照して説明する。図３は、押しボタンを操作するときの状況を模式的に示す説明図である。
遊技者が右手で発射ハンドル４を握り、発射レバー４ａを時計回りに回動すると、遊技球が遊技盤３へ発射される。ここで、その発射された遊技球が遊技盤３に配置された始動口に入賞すると、図柄表示装置が図柄の変動表示を開始する。例えば、図柄の変動表示の内容として、０〜９などの数字を表現した複数の図柄を配列してなる図柄列を画面の横方向の複数箇所においてそれぞれ縦方向に移動させる表示内容を実行する。そして、図柄の変動表示開始から所定時間経過すると、複数箇所において所定の順序で図柄の変動表示が停止し、総ての変動表示が停止したときに表示された各図柄による組み合わせてが大当り図柄に揃うと大当りが発生し、変動入賞装置が作動し、大入賞口が開閉する。
【００２０】
図柄表示装置が図柄の変動表示を行っているときに押しボタン８を押圧操作すると、図柄表示装置の表示内容が変更される。例えば、変動表示されている図柄の背景には、背景画像が表示されており、押しボタン８を押圧操作する毎に背景画像の種類が変更され、遊技者は、押しボタン８を押圧操作することにより、自分の好きな背景画像を選択することができる。
ここで、遊技者は、右手で発射ハンドル４を握り、右手の指で発射レバー４ａを回動操作している。また、遊技者の視線は、図柄表示装置の画面に集まっている。このような状況において、押しボタン８は左手で操作することになるが、図３に示すように、まず、左手を下皿６の上縁６ｂの適当な位置に乗せた状態を作る。そして、図中矢印Ｆ１で示すように、左手を上縁６ｂに沿わせて左方へ移動させて行くと、左手が構造物７の壁７ａに当接する。つまり、左手の移動が遮られる。この位置になると、左手の直下には、押しボタン８が存在するため、そのまま左手を下降させれば押しボタン８に触れることができるため、即座に押しボタン８を押圧操作することができる。
【００２１】
［実施形態の効果］
（１）以上のように、上記実施形態に係るパチンコ機１を使用すれば、発射レバー４ａを操作する右手と反対側の左手を構造物７の壁７ａに触れるまで押しボタン８の配置方向へ移動させれば、押しボタン８を操作可能な位置に到達したことになるため、短時間で押しボタン８を探し出すことができるので、素早く押しボタン８を押圧操作することができる。従って、図柄表示装置に視線を集中させた状態でも安心して押しボタン８を操作することができるため、遊技に集中することができる。また、押しボタン８を操作するタイミングを逸することもない。
【００２２】
（２）しかも、左手を押しボタン８の配置方向へ移動させる際に、その左手が押しボタン８を操作可能な位置を超えようとしても、構造物７の壁７ａによって遮られるため、押しボタン８の操作位置を探すための時間を短縮することができるので、素早く押しボタン８を押圧操作することができる。
【００２３】
（３）また、押しボタン８が下皿６の上縁６ｂの延長線上に配置されているため、左手を下皿６の上縁６ｂに沿って構造物７の壁７ａに触れるまで移動させることにより、短時間で押しボタン８を探し出すことができるので、素早く押しボタン８を押圧操作することができる。
（４）さらに、遊技者の遊技中の姿勢は、常時発射レバー４ａを操作している右手に対して、左手は、その操作中の右手と同じ高さにある下皿６の上縁６ｂ辺りに置いている。
そのため、時々しか操作しない押しボタン８は、空いているときが多い左手で操作し易い場所、しかも左手が位置していることが多い辺り（例えば、下皿６の上縁６ｂの辺り）に設けると、操作性が良く、素早い押圧操作を提供できる。
【００２４】
＜他の実施形態＞
（１）図４は、この発明の他の実施形態に係るパチンコ機に備えられた押しボタンの周辺を示す説明図である。この実施形態のパチンコ機は、押しボタンの位置を知らせるための専用の構造物を配置したことを特徴とする。
上皿５は底壁５ｃを備えており、その底壁５ｃの後方には、後壁５ｄが形成されている。後壁５ｄの左端には、払出装置から払出された遊技球が排出される排出口５ｅが開口形成されている。後壁５ｄと底壁５ｃを挟んだ対向位置には、前壁５ａが形成されている。前壁５ａは、底壁５ｃの底部前端から上方へ立ち上がり形成されている。前壁５ａの上縁５ｂは、前方に緩やかに膨らんだ曲線状に形成されている。
【００２５】
上皿５の上縁５ｂの左端であって、上縁５ｂの幅が広くなった箇所には、押しボタン８が配置されている。上皿５の上縁５ｂの左方に向かう延長線上であって、押しボタン８の近傍であり、押しボタン８の直ぐ左側には、立体的な構造物１１が配置されている。構造物１１は、手探りで押しボタン８の位置を教えるための専用の構造物であり、この実施形態では、四角柱形状に形成されている。構造物１１の右側面には、上皿５の上縁５ｂに対して垂直または垂直に近い角度に形成された壁１１ａが形成されている。換言すると、押しボタン８の近傍であって、押しボタン８の直ぐ左側には、上縁５ｂから立設した壁１１ａが配置されている。
【００２６】
壁１１ａは、左手が、いずれかの指で押しボタン８を押圧操作する姿勢になった際に左手のいずれかの部位が触れることになる位置に配置されている。また、壁１１ａの表面には、前後方向に複数の溝が形成されており、滑らかな面を有する他の構造物と触覚的に区別できるようになっている。溝は、上下方向に形成してもよいし、溝に代えて円柱、三角柱、三角錐、四角錐などの形状の突起部を複数形成し、ざらざらした触覚となるようにしてもよい。また、大きな突起部を１つ〜数個形成してもよい。
つまり、他の構造物の滑らかな面と触覚的に区別することができれば、どのような構造の面でもよい。また、構造物１１の形状は、円柱、三角柱、四角柱などでもよく、構造物１１の個数も複数でもよい。
【００２７】
例えば、壁１１ａは、左手が人差し指によって押しボタン８を押圧可能な姿勢になった際に左手の人差し指、中指、薬指および小指のいずれか１本、あるいは、２本以上の指の先端または左側面などの所定部位が触れることになる位置に配置されている。
換言すると、押しボタン８および壁１１ａは、左手が、そのいずれかの部位が壁１１ａに触れた状態になると、左手のいずれかの指で押しボタン８を押圧操作することができる状態になる配置関係に設定されている。
【００２８】
以上のように、押しボタン８の位置が手探りでも分かるようにするための専用の構造物１１を設けたパチンコ機を実施することによっても従来の課題を解決することができ、そのパチンコ機によれば、前述の実施形態による効果（１）ないし（３）と同じ効果を奏することができる。
【００２９】
（２）図５（ａ）〜（ｃ）は、構造物の変更例を示す説明図である。図５（ａ）に示すように、構造物７の壁７ｂは、上端が下端よりも右方寄りになった斜面に形成されており、上端が押しボタン８の上方に位置している。この構造物を配置したパチンコ機を実施した場合も前述の実施形態の効果（１）ないし（３）と同じ効果を奏することができる。
また、この壁７ｂを使用すれば、左手の左側面が壁７ｂに触れた際に、そのまま左手を下ろすと、左手の左寄りの範囲が押しボタン８に触れることになるため、左手の左寄りの範囲で押圧操作した方が操作し易い押しボタンの場合に好適である。
【００３０】
図５（ｂ）に示す構造物７の場合は、上記図５（ａ）に示した構造物７の壁７ｂとは逆の方向に傾斜した壁７ｃを有する。この構造物を配置したパチンコ機を実施した場合も前述の実施形態の効果（１）ないし（３）と同じ効果を奏することができる。
また、この壁７ｃを使用すれば、左手の左側面が壁７ｃに触れた際に、そのまま左手を下ろすと、図５（ａ）に示した壁７ｂの場合よりも広い左手の範囲が押しボタン８に触れることになるため、左手の広い範囲で押圧操作した方が操作し易い押しボタンの場合に好適である。
【００３１】
図５（ｃ）に示す構造物７の場合は、左方へ膨らんだ曲面に形成された壁７ｄを有する。この構造物を配置したパチンコ機を実施した場合も前述の実施形態の効果（１）ないし（３）と同じ効果を奏することができる。
また、この壁７ｄを使用すれば、左手の左側面が壁７ｃに触れた際に、その左手を上げようとすると、壁７ｃの曲面によって遮られるため、押しボタン８の上下方向の位置を把握し易い。
【００３２】
（３）上述した他の実施形態において説明した構造物１１の壁１１ａの形状を図１ないし図３に示した実施形態の構造物７の壁７ａに適用することもできる。
（４）図１ないし図３に示した構造物７を上皿５に適用することもできる。図４に示した構造物１１を下皿６に適用することもできる。また、構造物７，１１を上皿５または下皿６の前壁に配置することもできる。さらに、構造物７，１１を上皿５および下皿６以外の箇所に適用することもできる。
【００３３】
（５）上述の各実施形態では、押しボタン８が、図柄表示装置の背景画像を変更するための押しボタンである場合を説明したが、他の用途、例えば、押圧操作によって所定個数の遊技球を払出装置から貸球として払出させるために押圧操作する貸球ボタンであってもよい。
（６）またさらに、押しボタン８を遊技者の視界に入り難い箇所、例えば、上皿５と下皿６との間に形成されている空間に配置した場合であっても、その押しボタン８の近傍に上記の構造体７を配置すれば、手探りであっても短時間で押しボタン８を探し出して操作することができるため、操作性が悪くなるおそれがない。つまり、上記各実施形態のパチンコ機を使用すれば、押しボタンの配置可能な範囲を広げることができる。
【００３４】
（７）押しボタンに代えてスライド式のスイッチ、または、レバー式スイッチなどが配置されている場合に、それらのスイッチに対応して上述の各構造物を配置してもよい。
（８）上述の各実施形態では、右利きの遊技者用のパチンコ機を例に挙げて説明したが、発射ハンドル４が左側に配置された左利きの遊技者用のパチンコ機にも、この発明を適用できることは勿論である。この場合、構造物および押しボタンの配置関係は、前述の各実施形態における配置関係と左右が逆になり、構造物の壁は左方または斜め左前方を向く。
【図面の簡単な説明】
【００３５】
【図１】この発明の実施形態に係るパチンコ機の外観を正面から見た説明図である。
【図２】図１に示すパチンコ機に配置された押しボタンの周辺構造を示す部分説明図である。
【図３】押しボタンを操作するときの状況を模式的に示す説明図である。
【図４】この発明の他の実施形態に係るパチンコ機に備えられた押しボタンの周辺を示す説明図である。
【図５】図５（ａ）〜（ｃ）は、構造物の変更例を示す説明図である。
【符号の説明】
【００３６】
１・・パチンコ機、２・・パチンコ機本体、３・・遊技盤、
４・・発射ハンドル（調整手段）、５・・上皿（貯留皿）、６・・下皿（貯留皿）、
７，１１・・構造物、７ａ〜７ｄ，１１ａ・・壁、８・・押圧ボタン（操作手段）。
【図１】
2007295954.tif 000003
【図２】
2007295954.tif 000004
【図３】
2007295954.tif 000005
【図４】
2007295954.tif 000006
【図５】
2007295954.tif 000007